(57)【要約】  情報提供システムは、多くの人が好む種類の匂いを発生させる。情報提供システムは、使用者により持ち運ばれ、匂いの種類が紐づけられている複数の端末装置と、制御対象空間に匂い物質を噴霧する匂い発生装置と、情報処理装置と、を備え、情報処理装置は、複数の端末装置のうちの制御対象空間に存在する端末装置に紐付けられている匂いの種類に基づき、発生する匂いの種類を決定する決定部と、匂い発生装置を制御して、決定された種類の匂いを制御対象空間に発生させる制御部と、を有する。
2019207888.tif 000002
【特許請求の範囲】
【請求項１】
使用者により持ち運ばれ、匂いの種類が紐づけられている複数の端末装置と、
制御対象空間に匂い物質を噴霧する匂い発生装置と、
情報処理装置と、
を備え、
前記情報処理装置は、
前記複数の端末装置のうちの前記制御対象空間に存在する端末装置に紐付けられている匂いの種類に基づき、発生する匂いの種類を決定する決定部と、
前記匂い発生装置を制御して、決定された種類の匂いを前記制御対象空間に発生させる制御部と、
を有する
匂い制御システム。
【請求項２】
前記決定部は、前記制御対象空間に２以上の端末装置が存在する場合、前記２以上の端末装置のそれぞれに紐づけられた２以上の匂いの種類の多数決を取り、最も多い匂いの種類を、発生する匂いの種類として決定する
請求項１に記載の匂い制御システム。
【請求項３】
前記決定部は、前記複数の端末装置のうちの何れかの端末装置が前記制御対象空間に入った場合または出た場合に、発生する匂いの種類を決定する
請求項１または２に記載の匂い制御システム。
【請求項４】
前記複数の端末装置のそれぞれは、
匂いの種類を記憶する記憶部と、
前記制御対象空間に入ったことを検出する位置検出部と、
前記制御対象空間に入った場合に、前記制御対象空間に入ったこと、および、前記記憶部に記憶されている匂いの種類を前記情報処理装置に送信する送信部と、
を有する請求項３に記載の匂い制御システム。
【請求項５】
前記位置検出部は、前記制御対象空間から出たことを検出し、
前記送信部は、前記制御対象空間から出た場合に、前記制御対象空間から出たことを前記情報処理装置に送信する
請求項４に記載の匂い制御システム。
【請求項６】
前記制御対象空間に発生している匂いを検出する匂い検出装置をさらに備え、
前記制御部は、前記匂い検出装置により検出された匂いの種類および強さに基づき、発生する匂いの強さを制御する
請求項１から５の何れか１項に記載の匂い制御システム。
【請求項７】
使用者により持ち運ばれる複数の端末装置のうちの制御対象空間に存在する端末装置に紐付けられている匂いの種類に基づき、発生する匂いの種類を決定する決定部と、
前記匂い発生装置を制御して、決定された種類の匂いを前記制御対象空間に発生させる制御部と、
を有する情報処理装置。
【請求項８】
請求項１から６の何れか１項の匂い制御システムに備えられる端末装置。
【請求項９】
使用者により持ち運ばれ、匂いの種類が紐づけられている複数の端末装置と、制御対象空間に匂い物質を噴霧する匂い発生装置と、情報処理装置とを備える匂い制御システムにおいて実行される匂い制御方法であって、
前記情報処理装置が、前記複数の端末装置のうちの前記制御対象空間に存在する端末装置に紐付けられている匂いの種類に基づき、発生する匂いの種類を決定し、
前記情報処理装置が、前記匂い発生装置を制御して、決定された種類の匂いを前記制御対象空間に発生させる
匂い制御方法。
【請求項１０】
コンピュータを請求項７に記載の情報処理装置として機能させるためのプログラム。
【請求項１１】
コンピュータを請求項８に記載の端末装置として機能させるためのプログラム。
【発明の詳細な説明】
【技術分野】
【０００１】
本発明は、匂い制御システム、情報処理装置、端末装置、匂い制御方法およびプログラムに関する。
【背景技術】
【０００２】
部屋内に不快な匂いが発生している場合がある。不快な匂いを感じさせない方法の一つとして、その人が心地よいと感じる匂いの芳香剤を噴霧する方法がある。また、特許文献１には、適用される空間に合わせて、殺菌、脱臭（消臭）、芳香作用を空間に施す装置が記載されている。
【先行技術文献】
【特許文献】
【０００３】
【特許文献１】特開２０１６−１４０３３９７号公報
【発明の概要】
【発明が解決しようとする課題】
【０００４】
ところで、心地よいと感じる匂いは、人ごとに異なる。例えば公共の空間や多数の人が存在する部屋内では、様々な種類の匂いを好む人が集まる。このため、このような場所では、多くの人が好む種類の匂いを発生させることが難しかった。【０００５】
本発明は、上記に鑑みてなされたものであって、多くの人が好む種類の匂いを発生させることができる匂い制御システム、情報処理装置、端末装置、匂い制御方法およびプログラムを提供することを目的とする。
【課題を解決するための手段】
【０００６】
上述した課題を解決し、目的を達成するために、本発明に係る匂い制御システムは、使用者により持ち運ばれ、匂いの種類が紐づけられている複数の端末装置と、制御対象空間に匂い物質を噴霧する匂い発生装置と、情報処理装置と、を備え、前記情報処理装置は、前記複数の端末装置のうちの前記制御対象空間に存在する端末装置に紐付けられている匂いの種類に基づき、発生する匂いの種類を決定する決定部と、前記匂い発生装置を制御して、決定された種類の匂いを前記制御対象空間に発生させる制御部と、を有する。
【発明の効果】
【０００７】
本発明によれば、多くの人が好む種類の匂いを発生させることができる。
【図面の簡単な説明】
【０００８】
【図１】図１は、匂い制御システムを示す図である。
【図２】図２は、端末装置および匂い制御装置の構成を示す図である。
【図３】図３は、好みの匂いの種類の登録時における端末装置に表示される画面の一例を示す図である。
【図４】図４は、端末装置の処理の流れを示すフローチャートである。
【図５】図５は、情報処理装置の処理の流れを示すフローチャートである。
【図６】図６は、端末装置および情報処理装置のハードウェア構成を示す図である。
【発明を実施するための形態】
【０００９】
以下、実施形態に係る匂い制御システム１０について説明する。匂い制御システム１０は、制御対象空間に多くの人が好む種類の匂いを発生させる。制御対象空間は、部屋等の略密閉された空間であってもよいし、屋外等の開放された空間であってもよい。
【００１０】
図１は、匂い制御システム１０を示す図である。匂い制御システム１０は、複数の端末装置２０と、匂い制御装置３０とを備える。
【００１１】
複数の端末装置２０のそれぞれは、使用者により持ち運ばれ、使用者により使用される情報処理端末である。端末装置２０は、通信機能、入力機能、および音声出力および画像表示等の出力機能を有する。端末装置２０は、このような機能を有していれば、例えば、ノート型のコンピュータ、スマートフォン、タブレット端末、携帯電話機または専用の情報端末等のどのような装置であってもよい。
【００１２】
匂い制御装置３０は、空間に複数の種類の匂いを発生させる匂い発生機能、空間内の匂いを検出する機能、および、空間に発生させる匂いを制御する機能を有する。匂い制御装置３０における匂い発生機能および匂い検出機能を実現する部分は、制御対象空間に設置される。
【００１３】
端末装置２０および匂い制御装置３０は、ネットワークを介して互いに情報の送受信を行う。少なくとも端末装置２０は、無線通信によりネットワークに接続する。ネットワークは、例えば、ＬＡＮ（Local  Area  Network）、ＶＰＮ（Virtual  Private  Network）またはＬＡＮがルータを介して接続されたＷＡＮ（Wide  Area  Network）である。また、ネットワークは、インターネットまたは電話通信回線等を含んでいてもよい。また、ネットワークは、少なくとも端末装置２０との接続が無線通信で構成されていれば、他の部分は有線であっても無線であってもよい。
【００１４】
使用者は、端末装置２０を保持して、制御対象空間に出入りする。複数の端末装置２０のそれぞれは、使用者の好みの匂いの種類が紐づけられている。匂い制御システム１０は、制御対象空間に存在する端末装置２０に紐付けられている匂いの種類に基づき、制御対象空間の匂いを制御する。
【００１５】
図２は、端末装置２０および匂い制御装置３０の構成を示す図である。端末装置２０は、操作入力部４２と、記憶部４４と、位置検出部４６と、送信部４８とを有する。
【００１６】
操作入力部４２は、使用者からの操作入力を受け付ける。また、操作入力部４２は、使用者の好みの匂いの種類を受け付ける。そして、操作入力部４２は、受け付けた好みの匂いの種類を記憶部４４に記憶させる。
【００１７】
記憶部４４は、操作入力部４２が受け付けた使用者の好みの匂いの種類を記憶する。記憶部４４が使用者の好みの匂いの種類を記憶することにより、端末装置２０には、匂いの種類が紐づけられる。
【００１８】
なお、記憶部４４は、外部のサーバ等に設けられてもよい。この場合、使用者の好みの匂いは、使用者のＩＤに紐づけられて記憶される。
【００１９】
位置検出部４６は、端末装置２０が制御対象空間に存在するか否かを検出する。例えば、位置検出部４６は、端末装置２０が、制御対象空間の外部から、制御対象空間の内部に入ったことを検出する。また、例えば、位置検出部４６は、端末装置２０が、制御対象空間の内部から、制御対象空間の外部へ出たことを検出する。
【００２０】
例えば、位置検出部４６は、端末装置２０の現在位置を取得し、取得した現在位置が予め登録された制御対象空間内に存在するか否かを判断してもよい。例えば、位置検出部４６は、ＧＰＳ（Global  Positioning  System）を用いた位置検出回路から現在位置を取得する。また、位置検出部４６は、ＧＰＳ信号を受信できない屋内等においては、ＢＬＥ（Bluetooth  Low  Energy）等のビーコン位置測位システムを用いた位置検出回路から現在位置を取得してもよい。また、位置検出部４６は、ＩＥＥＥ８０２．１１等の無線ＬＡＮの無線基地局からの信号強度に基づき算出された現在位置を取得してもよい。また、位置検出部４６は、屋内に設置された発振器から受信したＧＰＳと同等の信号を用いた位置検出回路から現在位置を取得してもよい。
【００２１】
また、例えば、匂い制御装置３０の無線通信機能が制御対象空間に設けられている場合、位置検出部４６は、匂い制御装置３０から信号を受信したことに応じて、端末装置２０が制御対象空間に存在すると判断してもよい。また、位置検出部４６は、制御対象空間を撮像するカメラの撮像画像に基づき、端末装置２０が制御対象空間に存在しているか否かを検出してもよい。
【００２２】
送信部４８は、端末装置２０が制御対象空間に存在している場合、端末装置２０が制御対象空間に存在していること、および、紐づけられている匂いの種類を示す情報を匂い制御装置３０に送信する。例えば、送信部４８は、端末装置２０が制御対象空間に入った場合に、制御対象空間に入ったこと、および、記憶部４４に記憶されている匂いの種類を匂い制御装置３０に送信する。また、送信部４８は、端末装置２０が制御対象空間から出た場合に、制御対象空間から出たことを匂い制御装置３０に送信する。なお、記憶部４４が外部のサーバ等に設けられている場合、送信部４８は、紐づけられている匂いの種類を示す情報として、使用者のＩＤを送信する。
【００２３】
匂い制御装置３０は、匂い発生装置５０と、匂い検出装置６０と、情報処理装置７０とを有する。
【００２４】
匂い発生装置５０は、制御対象空間に匂い物質を噴霧して、制御対象空間に匂いを発生させる。例えば、匂い発生装置５０は、制御対象空間に、異なる複数の種類の芳香剤を切り換えて噴霧する。例えば、匂い発生装置５０は、フローラル系の芳香剤、シャボン系の芳香剤、柑橘系の芳香剤、ハーブ系の芳香剤および樹木系の芳香剤を切り換えて噴霧する。
【００２５】
匂い検出装置６０は、制御対象空間に発生している匂いの種類および強さを検出する。例えば、匂い検出装置６０は、複数の種類の匂いおよび強さを検知可能な匂いセンサである。
【００２６】
情報処理装置７０は、ネットワークに接続可能なサーバ装置等のコンピュータである。情報処理装置７０は、匂い発生装置５０および匂い検出装置６０と同一の筐体内に設けられていてもよいし、匂い発生装置５０および匂い検出装置６０とは別個の筐体に設けられていてもよい。情報処理装置７０は、１台のコンピュータであってもよいし、クラウドシステムのように複数台のコンピュータにより構成されていてもよい。
【００２７】
情報処理装置７０は、受信部７２と、決定部７４と、判定部７６と、制御部７８とを含む。
【００２８】
受信部７２は、複数の端末装置２０からネットワークを介して情報を受信する。例えば、受信部７２は、制御対象空間に存在している端末装置２０から、制御対象空間に存在していること、および、紐づけられている匂いの種類を示す情報を受信する。なお、使用者の好みの匂いの種類が外部のサーバ等に設けられている場合、受信部７２は、紐づけられている匂いの種類を示す情報として、使用者のＩＤを受信する。この場合、受信部７２は、受信したＩＤに基づき外部のサーバ等から、使用者の好みの匂いの種類を取得する。
【００２９】
例えば、受信部７２は、制御対象空間に入った端末装置２０から、制御対象空間に入ったことおよび匂いの種類を受信する。また、例えば、受信部７２は、制御対象空間から出た端末装置２０から、制御対象空間から出たことを受信する。
【００３０】
決定部７４は、複数の端末装置２０のうちの制御対象空間に存在する端末装置２０に紐付けられている匂いの種類に基づき、発生する匂いの種類を決定する。例えば、決定部７４は、制御対象空間に１つの端末装置２０が存在する場合、制御対象空間に存在する１つの端末装置２０に紐づけられた匂いの種類を、発生する匂いの種類として決定する。また、例えば、決定部７４は、制御対象空間に２以上の端末装置２０が存在する場合、２以上の端末装置２０のそれぞれに紐づけられた２以上の匂いの種類の多数決を取り、最も多い匂いの種類を、発生する匂いの種類として決定する。
【００３１】
また、例えば、決定部７４は、何れかの端末装置２０が制御対象空間に入った場合に、発生する匂いの種類を決定する。また、例えば、決定部７４は、何れかの端末装置２０が制御対象空間から出た場合に、発生する匂いの種類を決定する。
【００３２】
判定部７６は、匂い検出装置６０が検出した匂いを表す信号を取得する。そして、判定部７６は、取得した信号に基づき、制御対象空間に発生している匂いの種類および強さを判定する。
【００３３】
制御部７８は、匂い発生装置５０を制御して、決定部７４により決定された種類の匂いを制御対象空間に発生させる。例えば、制御部７８は、決定部７４により決定された種類の匂いに対応する芳香剤を、匂い発生装置５０から発生させる。
【００３４】
また、制御部７８は、判定部７６により判定された匂いの種類および強さに応じて、発生する匂いの強さ制御してもよい。例えば、制御部７８は、決定された種類の匂いが、既に基準値以上の強さで発生している場合には、新たな匂いの発生をさせなくてもよい。また、制御部７８は、制御対象空間に異なる種類の匂いが発生している場合、発生している異なる匂いの強さに応じて、新たに発生させる匂いの強さを制御してもよい。
【００３５】
図３は、好みの匂いの種類の登録時における端末装置２０に表示される画面の一例を示す図である。
【００３６】
端末装置２０の操作入力部４２は、例えば、図３に示すような画面を表示させて、使用者の好みの匂いの種類を受け付ける。例えば、操作入力部４２は、フローラル系、シャボン系、柑橘系、ハーブ系または樹木系の何れか１つまたは複数の匂いの種類を、好みの匂いの種類として受け付ける。操作入力部４２は、例えば、匂い発生装置５０により発生することが可能な種類の匂いを、好みの匂いの種類として受け付けてもよい。
【００３７】
操作入力部４２は、受け付けた好みの匂いの種類を記憶部４４に記憶させる。これにより、端末装置２０は、好みの匂いの種類と紐づけられる。
【００３８】
なお、端末装置２０は、受け付けた好みの匂いの種類を、外部のサーバに送信してもよい。外部のサーバは、端末装置２０を使用する使用者のＩＤと、送信された好みの匂いの種類とを対応付けて記憶する。そして、匂い制御装置３０は、端末装置２０からＩＤを受信し、受信したＩＤに対応付けられた匂いの種類を取得する。このようにしても、端末装置２０は、好みの匂いの種類と紐づけられる。
【００３９】
図４は、端末装置２０の処理の流れを示すフローチャートである。端末装置２０は、図４に示すフローチャートの流れで処理を実行する。
【００４０】
まず、Ｓ１１において、端末装置２０は、現在位置に基づき、端末装置２０が制御対象空間に入ったか否かを判断する。制御対象空間に入っていない場合（Ｓ１１のＮｏ）、端末装置２０は、処理をＳ１１で待機する。制御対象空間に入った場合（Ｓ１１のＹｅｓ）、端末装置２０は、処理をＳ１２に進める。
【００４１】
Ｓ１２において、端末装置２０は、制御対象空間に入ったこと、および、紐付けられている匂いの種類を匂い制御装置３０に送信する。なお、端末装置２０は、紐づけられている匂いの種類が外部のサーバ等に記憶されている場合には、紐付けられている匂いの種類に代えて、使用者のＩＤを匂い制御装置３０に送信する。
【００４２】
続いて、Ｓ１３において、端末装置２０は、現在位置に基づき、制御対象空間から出たか否かを判断する。制御対象空間から出ていない場合（Ｓ１３のＮｏ）、端末装置２０は、処理をＳ１３で待機する。制御対象空間から出た場合（Ｓ１３のＹｅｓ）、端末装置２０は、処理をＳ１４に進める。
【００４３】
Ｓ１４において、端末装置２０は、制御対象空間から出たことを匂い制御装置３０に送信する。そして、Ｓ１４を終了すると、端末装置２０は、処理をＳ１１に戻し、Ｓ１１から処理を繰り返す。
【００４４】
図５は、情報処理装置７０の処理の流れを示すフローチャートである。情報処理装置７０は、図５に示すフローチャートの流れで処理を実行する。
【００４５】
まず、Ｓ２１において、情報処理装置７０は、何れかの端末装置２０から情報を受信したか否かを判断する。情報を受信していない場合（Ｓ２１のＮｏ）、情報処理装置７０は、処理をＳ２１で待機する。情報を受信した場合（Ｓ２１のＹｅｓ）、情報処理装置７０は、処理をＳ２２に進める。
【００４６】
Ｓ２２において、情報処理装置７０は、何れかの端末装置２０が制御対象空間に入ったのか、または、何れかの端末装置２０が制御対象空間から出たのかを判断する。情報処理装置７０は、何れかの端末装置２０が制御対象空間に入った場合（Ｓ２２のＹｅｓ）、処理をＳ２３に進める。情報処理装置７０は、何れかの端末装置２０が制御対象空間から出た場合（Ｓ２２のＮｏ）、処理をＳ２４に進める。
【００４７】
Ｓ２３において、情報処理装置７０は、制御対象空間に存在する端末装置２０を示すリストに、新たに制御対象空間に入った端末装置２０を追加する。なお、情報処理装置７０は、リストに示されたそれぞれの端末装置２０に紐付けられている好みの匂いの種類も記憶している。Ｓ２３の処理を終えると、情報処理装置７０は、処理をＳ２５に進める。
【００４８】
Ｓ２４において、情報処理装置７０は、制御対象空間に存在する端末装置２０を示すリストから、制御対象空間から出た端末装置２０を削除する。Ｓ２４の処理を終えると、情報処理装置７０は、処理をＳ２５に進める。
【００４９】
Ｓ２５において、情報処理装置７０は、リストに示されたそれぞれの端末装置２０に紐づけられた好みの匂いの種類の多数決を取り、最も多い１つの匂いの種類を発生する匂いの種類として決定する。続いて、Ｓ２６において、情報処理装置７０は、匂い検出装置６０からの検出信号を取得して、制御対象空間に発生している匂いの種類および強さを判定する。
【００５０】
続いて、Ｓ２７において、情報処理装置７０は、判定した匂いの種類および強さに基づき、発生する匂いの強さを決定する。例えば、情報処理装置７０は、決定された種類の匂いが、既に基準値以上の強さで発生している場合には、新たな匂いの発生をさせなくてもよい。また、例えば、情報処理装置７０は、制御対象空間に異なる種類の匂いが発生している場合、発生している異なる匂いの強さに応じて、新たに発生させる匂いの強さを決定する。
【００５１】
続いて、Ｓ２８において、情報処理装置７０は、匂い発生装置５０を制御して、決定された種類の匂いを、決定された強さで発生させる。そして、情報処理装置７０は、Ｓ２８の処理を終了すると、処理をＳ２１に戻して、Ｓ２１から処理を繰り返す。
【００５２】
以上のように、実施形態に係る匂い制御システム１０は、制御対象空間に存在する端末装置２０に紐付けられている匂いの種類に基づき、制御対象空間に匂いを発生させる。これにより、実施形態に係る匂い制御システム１０によれば、制御対象空間に存在する人のうちの多くの人が好む種類の匂いを発生させることができる。
【００５３】
（情報処理装置４００のハードウェア構成）
図６は、情報処理装置４００のハードウェア構成を示す図である。端末装置２０および情報処理装置７０は、例えば、図６に示すようなハードウェア構成の情報処理装置４００により実現される。
【００５４】
情報処理装置４００は、通常のコンピュータと同様の構成している。すなわち、情報処理装置４００は、ＣＰＵ（Central  Processing  Unit）４０１と、ＲＯＭ（Read  Only  Memory）４０２と、ＲＡＭ（Random  Access  Memory）４０３と、記憶デバイス４０４と、ネットワークＩ／Ｆ４０６とを有する。なお、端末装置２０は、さらに、ディスプレイ４１１と、表示Ｉ／Ｆ４１２と、入力デバイス４１３と、入力Ｉ／Ｆ４１４とを有する。ＣＰＵ４０１、ＲＯＭ４０２、ＲＡＭ４０３、記憶デバイス４０４、ネットワークＩ／Ｆ４０６、表示Ｉ／Ｆ４１２および入力Ｉ／Ｆ４１４は、バスにより接続されている。
【００５５】
ＣＰＵ４０１は、記憶デバイス４０４に記憶されたプログラムをＲＡＭ４０３に展開して実行し、各部を制御して入出力を行ったり、データの加工を行ったりする。ＲＯＭ４０２には、オペレーティングシステムの起動用プログラムを記憶デバイス４０４からＲＡＭ４０３に読み出すスタートプログラムが記憶されている。
【００５６】
記憶デバイス４０４は、例えば、ハードディスクドライブまたはフラッシュメモリ等である。記憶デバイス４０４は、オペレーティングシステム、アプリケーションプログラムおよびデータを記憶している。これらのプログラムは、インストール可能な形式または実行可能な形式のファイルで、コンピュータで読み取り可能な記録メディアに記録して配布される。また、プログラムは、サーバからダウンロードすることにより配布されてもよい。ネットワークＩ／Ｆ４０６は、例えばネットワークに接続するためのインターフェイス装置である。
【００５７】
ディスプレイ４１１は、情報を表示するデバイスである。表示Ｉ／Ｆ４１２は、ＣＰＵ４０１の制御に従ってディスプレイ４１１に画像信号を供給する。入力デバイス４１３は、キーボード、マウスおよびタッチパネル等であり、ユーザによる操作情報を取得する。入力Ｉ／Ｆ４１４は、ＣＰＵ４０１の制御に従って、入力デバイス４１３が取得した情報をＲＡＭ４０３に記憶させる。
【００５８】
本実施形態の情報処理装置４００で実行されるプログラムは、インストール可能な形式または実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【００５９】
また、本実施形態の情報処理装置４００で実行されるプログラムを、インターネット等のネットワークに接続されたコンピュータ上に格納し、ネットワーク経由でダウンロードさせることにより提供するように構成してもよい。また、本実施形態の情報処理装置４００で実行されるプログラムをインターネット等のネットワーク経由で提供または配布するように構成してもよい。また、本実施形態のプログラムを、ＲＯＭ４０２等に予め組み込んで提供するように構成してもよい。
【００６０】
このような情報処理装置４００を端末装置２０として機能させるためのプログラムは、操作入力モジュールと、位置検出モジュールと、送信モジュールとを含むモジュール構成となっている。情報処理装置４００は、実際のハードウェアとしてはプロセッサ（ＣＰＵ４０１）が記憶媒体（記憶デバイス４０４等）からプログラムを読み出して実行することにより、各モジュールが主記憶装置（ＲＡＭ４０３）上にロードされる。これにより、プロセッサ（ＣＰＵ４０１）は、操作入力部４２、位置検出部４６および送信部４８として機能する。また、記憶デバイス４０４は、記憶部４４として機能する。なお、情報処理装置４００は、操作入力部４２、位置検出部４６および送信部４８の構成の一部または全部がハードウェアにより実現されていてもよい。
【００６１】
また、情報処理装置４００を情報処理装置７０として機能させるためのプログラムは、受信モジュールと、決定モジュールと、判定モジュールと、制御モジュールとを含むモジュール構成となっている。情報処理装置４００は、実際のハードウェアとしてはプロセッサ（ＣＰＵ４０１）が記憶媒体（記憶デバイス４０４等）からプログラムを読み出して実行することにより、各モジュールが主記憶装置（ＲＡＭ４０３）上にロードされる。これにより、プロセッサ（ＣＰＵ４０１）は、受信部７２、決定部７４、判定部７６および制御部７８として機能する。なお、情報処理装置４００は、受信部７２、決定部７４、判定部７６および制御部７８の構成の一部または全部がハードウェアにより実現されていてもよい。
【００６２】
以上、本発明の実施形態を説明したが、これらの実施形態は、例として提示したものであり、発明の範囲を限定することは意図していない。実施形態は、種々の変更を行うことができる。
【符号の説明】
【００６３】
１０  匂い制御システム
２０  端末装置
３０  匂い制御装置
４２  操作入力部
４４  記憶部
４６  位置検出部
４８  送信部
５０  匂い発生装置
６０  匂い検出装置
７０  情報処理装置
７２  受信部
７４  決定部
７６  判定部
７８  制御部
【図１】
2019207888.tif 000003
【図２】
2019207888.tif 000004
【図３】
2019207888.tif 000005
【図４】
2019207888.tif 000006
【図５】
2019207888.tif 000007
【図６】
2019207888.tif 000008
【国際調査報告】
2019207888.tif 000009
2019207888.tif 000010
2019207888.tif 000011
2019207888.tif 000012